(57)【要約】【課題】広大な面積に家が点在する田舎等では膨大な費用がかかるため下水施設が施行されていないのが実態であり、コンパクトで廉価に施行できる汚水の浄化槽が切望されており、従来、汚水を地下タンク等に蓄え、一定の期間で汲み出していた。【解決手段】本発明は、汚水を流し込み固液分離するばっ気式固液分離手段２を内設したばっ気式固液分離槽３と、ばっ気式固液分離槽の汚水を送水する送水手段４と、流量調整用ポンプ５を内装した流量調整槽６と、流量調整用ポンプに接続させたポンプ送水手段７と、汚水を微生物によって処理すると共に濾過膜で濾過する膜ユニット手段８を内設した膜分離濾過槽９と、汚水を送水するエアリフト手段１０と、汚水を消毒処理をする消毒処理槽１１と、処理水をリサイクル施設Ａに送水するリサイクル送水手段１２とを備えた。【選択図】      図１
2004154752.tif 000002
【特許請求の範囲】
【請求項１】
汚水を浄化してリサイクル可能にする小規模合併浄化槽であって、固体成分を含有する汚水を流し込み少なくとも一面に傾斜させた微細目スクリーン又は膜体を張設し下方にばっ気用散気管を設けて固液を分離するばっ気式固液分離手段を内設したばっ気式固液分離槽と、該ばっ気式固液分離槽で固液分離させた汚水を送水する送水手段と、該送水手段で送水された汚水を流し込み流量調整用ポンプを内装した流量調整槽と、該流量調整槽から汚水を送水する前記流量調整用ポンプに接続させたポンプ送水手段と、該ポンプ送水手段で送水された汚水を流し込み活性汚泥の微生物によって処理すると共に複数の濾過膜で濾過する膜ユニット手段を内設した膜分離濾過槽と、該膜分離濾過槽で濾過された汚水を送水するエアリフト手段と、該エアリフト手段で送水された汚水を流し込み消毒処理をする消毒処理槽と、該消毒処理槽の処理水をリサイクル施設に送水するリサイクル送水手段とを備えたことを特徴とするリサイクル型小規模合併浄化槽。
【発明の詳細な説明】
【０００１】
【発明の属する技術分野】
本発明は、リサイクル型小規模合併浄化槽に関するもので、更に、詳細にはトイレの排水や台所、風呂、洗濯機からの固体成分を含んだ生活雑排水のリサイクルをコンパクトな合併式の浄化槽で行うリサイクル型小規模合併浄化槽に関するものである。
【０００２】
【従来の技術】
従来、大規模の装置で高濃度の固体成分を含有する汚水を浄化して、浄化した水を下水等に流すための設備は開発され使用されているが、何れも固体成分を取り除くための一次処理や前処理をして、更に、浄化装置で浄化を行うもので大規模のものと成っていた。（特許文献１．２参照。）
【０００３】
【特許文献１】
特開平８−２９９７１８号公報（第１頁、図１）
【特許文献２】
実開昭５８−１０８０５号公報（第１頁、第１図）
【０００４】
【発明が解決しようとする課題】
その為、広大な面積に家が点在する田舎等では膨大な費用がかかるため下水施設が施行されていないのが実態であり、コンパクトで廉価に施行できる汚水の浄化槽が切望されており、従来、汚水を地下タンク等に蓄え、一定の期間で汲み出しており、汲み出しのためのタンクローリー車等の配備が遅れたり、予定以上の汚水を排泄した場合、汚水を蓄える地下タンク等が満杯に成り溢れたり、使用できないこともあり、更には、汲み出しのためのタンクローリー車等の配備には費用がかかり、その間隔が長いほど費用が低減でき望ましいものである。
【０００５】
【課題を解決するための手段】
本発明は前述の課題を解決したものであって、汚水を流し込み微細目スクリーン又は膜体を張設し下方にばっ気用散気管を設けて固液を分離するばっ気式固液分離手段を内設したばっ気式固液分離槽と、ばっ気式固液分離槽で固液分離させた汚水を送水する送水手段と、送水手段で送水された汚水を流し込み流量調整用ポンプを内装した流量調整槽と、流量調整槽から汚水を送水する流量調整用ポンプに接続させたポンプ送水手段と、ポンプ送水手段で送水された汚水を流し込み微生物によって処理すると共に濾過膜で濾過する膜ユニット手段を内設した膜分離濾過槽と、膜分離濾過槽で濾過された汚水を送水するエアリフト手段と、エアリフト手段で送水された汚水を流し込み消毒処理をする消毒処理槽と、消毒処理槽の処理水をリサイクル施設に送水するリサイクル送水手段とを備えたものである。
【０００６】
【作用】
本発明は、先ず、リサイクル型小規模合併浄化槽に備えた、ばっ気式固液分離槽に内設した傾斜させた微細目スクリーン又は膜体にばっ気用散気管で散気させた気泡によりばっ気により固液分離させ、固液分離させた汚水を流量調整槽に送水手段で送水し、流量調整槽に内装した流量調整用ポンプで流量を調整しながらポンプ送水手段で膜分離濾過槽に送水し、更に、活性汚泥の微生物によって処理すると共に複数の濾過膜で濾過することによって浄化させ、更には、浄化された汚水を消毒槽にエアリフト手段で送水し、消毒槽で消毒した後の処理水をトイレ等の洗滌水や植物への散水用としてリサイクルするものである。
【０００７】
従って、本発明の目的は、コンパクトな合併式の浄化槽であり、ばっ気式固液分離、膜分離濾過、微生物処理して、更には、消毒処理を施した上で浄化された処理水をトイレ等の洗滌水や植物への散水用としてリサイクルを可能とするリサイクル型小規模合併浄化槽を提供するものである。
【０００８】
【発明の実施の形態】
本発明のリサイクル型小規模合併浄化槽の実施の形態について図面を参照して具体的に説明する。
【０００９】
図１は本発明のリサイクル型小規模合併浄化槽の実施形態の概要を説明するための説明図である。
【００１０】
本発明は、リサイクル型小規模合併浄化槽に関するもので、更に、詳細にはトイレの排水や台所、風呂、洗濯機からの固体成分を含んだ生活雑排水をコンパクトな浄化施設で処理するリサイクル型小規模合併浄化槽に関するものであり、汚水を浄化してリサイクル可能にする小規模合併浄化槽１であって、固体成分を含有する汚水を流し込み少なくとも一面に傾斜させた微細目スクリーン又は膜体２ａを張設し下方にばっ気用散気管２ｂを設けて固液を分離するばっ気式固液分離手段２を内設したばっ気式固液分離槽３と、該ばっ気式固液分離槽３で固液分離させた汚水を送水する送水手段４と、該送水手段４で送水された汚水を流し込み流量調整用ポンプ５を内装した流量調整槽６と、該流量調整槽６から汚水を送水する前記流量調整用ポンプ５に接続させたポンプ送水手段７と、該ポンプ送水手段７で送水された汚水を流し込み活性汚泥の微生物によって処理すると共に複数の濾過膜８ａで濾過する膜ユニット手段８を内設した膜分離濾過槽９と、該膜分離濾過槽９で濾過された汚水を送水するエアリフト手段１０と、該エアリフト手段１０で送水された汚水を流し込み消毒処理をする消毒処理槽１１と、該消毒処理槽１１の処理水をリサイクル施設Ａに送水するリサイクル送水手段１２とを備えたものである。
【００１１】
即ち、本発明のリサイクル型小規模合併浄化槽１は、図１に図示する如く、小規模な合併式の浄化槽にばっ気式固液分離槽３と流量調整槽６と膜分離濾過槽９と消毒処理槽１１とを内装したもので、下水道が普及していない地域に好適なものである。
【００１２】
先ず、トイレ、台所、風呂等から排水される固体成分を含有する雑排水等の汚水はリサイクル型小規模合併浄化槽１の側壁に貫設された汚水流入管１ａから後述するばっ気式固液分離槽３に流し込まれるものである。
【００１３】
そして、ばっ気式固液分離槽３は流し込まれた固体成分を含む雑排水等の汚水の固体成分と液体成分とを後述する内設したばっ気式固液分離手段２によって固液分離を行うものである。
【００１４】
次に、ばっ気式固液分離手段２はばっ気式固液分離槽３に内設され、少なくとも一面、図示する実施の形態では一面に倒れ込むように傾斜させた１乃至２ミリメートルの微細目スクリーン又は１５乃至２０ミクロンの膜体を張設しており、該微細目スクリーンまたは膜体２ａの下方には微細目スクリーンまたは膜体２ａの面に沿って気泡を上昇させて目詰まりを防止すると共に、旋回流を起すようにばっ気用散気管２ｂを設けているもので、該ばっ気用散気管２ｂには外部に設置したブロア（図示しない）に接続させたばっ気用エア管２ｃが配設されているものである。
【００１５】
つまり、ばっ気用エア管２ｃからエアを送ることでばっ気用散気管２ｂから気泡を放出させるもので、気泡は倒れ込むように傾斜させて張設した微細目スクリーンまたは膜体２ａに沿って上昇して、ばっ気式固液分離槽３内の汚水に旋回流を起こし、微細目スクリーンまたは膜体２ａを通過しない固形成分は旋回流によって移動して、重い固形成分は沈澱し、浮遊する固形成分は流れの遅い旋回流の中心部に集まり、更に軽い固形成分は上方に浮かび、微細目スクリーンまたは膜体２ａの付近に留まることがないようにして濾過機能の低下を防ぐものであり、又、下方に沈殿した重たいし査等の固体成分はばっ気式固液分離槽３の底面にスリット３ａが開口しており、髄スリット３ａを通って更に下方沈殿槽３ｂに沈殿するものであり、沈殿したし査等の固体成分は定期的に排出孔（図示しない）から排出されるものである。
【００１６】
次いで、送水手段４はばっ気式固液分離槽３のばっ気式固液分離手段２で固液分離した後の汚水を後述する流量調整槽６に流し込むもので、実施の形態では、ばっ気式固液分離槽３の上方に付設したオーバーフロー管によって行うものであり、つまり、ばっ気式固液分離槽３の水位が上がることで自然に流量調整槽６に送水されるものである。
【００１７】
そして、流量調整槽６には後述する流量調整用ポンプ５を内装しており、ばっ気式固液分離槽３より送水手段４によって送水された汚水を一時的に貯溜させるものである。
【００１８】
更に、流量調整用ポンプ５は水中ポンプであり、水面をフロートスイッチ（図示しない）で検知すると共に流量調整用ポンプ５を駆動又は停止させることにより、後述するポンプ送水手段７によって、膜分離濾過槽９に送水するものである。
【００１９】
次に、ポンプ送水手段７は一端を流量調整用ポンプ５に接続され、他端を膜分離濾過槽９の上方に開口させた配管系である。
【００２０】
次いで、膜分離濾過槽９は活性汚泥に含有する微生物によって処理を施すと共に、膜ユニット手段８を内設しており、膜ユニット手段８は一枚あたり２００ｌ／日処理程度の中空糸膜又は平膜から成る濾過膜８ａを複数枚設けるもので、下方には先端を外部に備えたエアブロア（図示しない）に接続させて散気管用エア管８ｂの基端と接続させた散気管８ｃを配設したもので、濾過膜８ａの間に気泡を放出するものである。
【００２１】
更に、エアリフト手段１０は膜分離濾過槽９の膜ユニット手段８で濾過された汚水を後述する消毒処理槽１１に送水するもので、外部のエアブロワ（図示しない）に接続されたエア管１０ａを膜ユニット手段８に挿通させ、エア管１０ａの先端をエアリフト管１０ｂに接続させているもので、外部のエアブロワよりエア管１０ａにエアを送風することにより膜ユニット手段８の中空糸で濾過された汚水はエアリフト管１０ｂを通って消毒槽処理１１に送水されるものである。
【００２２】
そして、消毒処理槽１１はエアリフト手段１０で送水された汚水を流し込み薬投手段（図示しない）より消毒剤や消臭剤等を添加して、後述するリサイクル施設Ａに処理水として送水させるためのものである。
【００２３】
更には、リサイクル送水手段１２は消毒処理槽１１の浄化及び消毒された後の処理水をリサイクル施設Ａに送水するものであり、一方を消毒処理槽１１に挿通させると共に、送水ポンプ１２ａを介装して、トイレや農業用貯水槽等のリサイクル施設Ａに送水するものであり、消毒処理槽１１の側壁にはオーバー水放流管１１ａを設けており、余剰の処理水はオーバー水放流管１１ａによって、放流させるものである。
【００２４】
更に、図示していないが、ばっ気式固液分離槽３の下部沈殿層槽３ｂや、流量調整槽６、膜分離濾過槽９の底部に貯溜する分離された固形成分はエアリフトポンプによってばっ気式固液分離槽３に還流させ濃縮させることも可能で、濃縮された固形成分はバキュームカーで定期的に排出されるものである。
【００２５】
【発明の効果】
本発明のリサイクル型小規模合併浄化槽は、小規模な合併浄化槽に汚水の固液成分を気泡と微細目スクリーン又は膜体で固形成分と液体成分に分離させるばっ気式固液分離槽と、膜ユニット手段で濾過する膜分離濾過槽を備えて固体成分を含む雑排水の汚水を浄化し、更に、消毒処理槽で消毒、消臭を行うためトイレの洗滌水や農業用の植物への散水用等としてリサイクルが可能なもので、下水の完備されていない地域に、地下に埋設する等によって使用されるもので、家庭から排出される固体成分を含有する雑排水をリサイクルして、排水量を低減させるものであり、実用的で極めて有効な発明である。
【図面の簡単な説明】
【図１】図１は本発明のリサイクル型小規模合併浄化槽の実施形態の概要を説明するための説明図である。
【符号の説明】
１        小規模合併浄化槽
１ａ      汚水流入管
２        ばっ気式固液分離手段
２ａ      微細目スクリーンまたは膜体
２ｂ      ばっ気用散気管
２ｃ      ばっ気用エア管
３        ばっ気式固液分離槽
３ａ      スリット
３ｂ      下部沈殿槽
４        送水手段
５        流量調整ポンプ
６        流量調整槽
７        ポンプ送水手段
８        膜ユニット手段
８ａ      濾過膜
８ｂ      散気管用エア管
８ｃ      散気管
９        膜分離濾過槽
１０      エアリフト手段
１０ａ    エア管
１０ｂ    エアリフト管
１１      消毒処理槽
１１ａ    オーバー水放流管
１２      リサイクル送水手段
１２ａ    送水ポンプ
Ａ        リサイクル施設
【図１】
2004154752.tif 000003